(57)【要約】 【課題】    従来のビジネスバッグは書類、パソコン等を収納した場合重く、携帯するのに手、腕は勿論、肩に掛けても肩に食い込んで痛かったり、又キャスター付きバッグもあるが固定式で露出タイプが多くあった。【解決手段】  収納物によって重くなり持ち歩く事が容易でないバッグに於いてバッグ本体（１）上部に設けたスライド式ロック・キー（３）を解除し持ち手部（２）を上部方向へ引く事によって持ち手部（２）と連結されたキャスター部（４）が作動しバッグ本体（１）の底部から外部へキャスター部（４）が突出し固定されそれによってキャスターバッグとしての役割を果たす事が出来る。そしてスライド式ロック・キー（３）を解除し持ち手部（２）を下部方向へ下げる事によってキャスター部（４）がバッグ本体（１）に収納され通常の持ち手バッグとして使用出来る。【選択図】  図１６
2009268722.tif 000002
【特許請求の範囲】
【請求項１】
ビジネス用バッグとして、バッグ本体（１）の上部に持ち手部（２）とスライド式ロック・キー（３）を設け、スライド式ロック・キーを指で摘み解除する事によって持ち手フレームＢ（９）に加工したロック用穴部（１２）にロックされたロック棒（１４）が外れ持ち手部（２）を引き上げる事が出来、持ち手部（２）と連結された持ち手フレームＢ（９）が作動し、更に連結された持ち手フレームＡ（８）とリベット金具（１６）をもって連結されたＬ字型フレーム部（６）が作動する事によってキャスターフレーム部（５）が回転し、キャスター部（４）がバッグ本体（１）正面底部より左右に突出し持ち手フレームＢ用ストッパー部（１１）によってキャスター部（４）が固定されキャスターバッグとしての機能を果たし又、スライド式ロック・キー（３）を指で摘み解除し持ち手部（２）を下げる事によってリベット金具（１６）をもって連結されたＬ字型フレーム部（６）が作動しキャスターフレーム部（５）が逆回転しキャスター部（４）がバッグ本体（１）内に収納され必要状況に応じて瞬時にキャスターバッグとしての機能を果たす事が出来るビジネスバッグ用ワンタッチ収納キャスター。
【発明の詳細な説明】
【技術分野】
【０００１】
本発明はビジネスバッグ用ワンタッチ収納キャスターに関する。
【背景技術】
【０００２】
従来のビジネスバッグは手持ちバッグにショルダーバッグ又は、背負い式バッグが主でキャスター付バッグ等もあるがキャスターがバッグ底部に固定された形態によるものが多くあった。
【０００３】
又、キャスター付バッグに於いて固定式が殆どで、手持ち、ショルダー、背負い等で携帯する時にキャスター部が常に露出され汚れ等で不快感をもたらした。
以下、従来のビジネスバッグについて文献を参照する。
【特許文献１】特開２００１−８７０２３
【特許文献２】実案２００６−８２１０
【発明の開示】
【発明が解決しようとする課題】
【０００４】
以上に述べた従来のビジネスバッグは手持ち、ショルダー、背負い、そしてキャスターバッグとして携帯する状況によって対応出来る様キャスターバッグに於いてはキャスター部をバッグ本体底面内に収納する事を提供する。
【０００５】
本発明はこのような従来の構成が有していた問題を解決しようとするものであり、ビジネスバッグ用として収納物が多くなったビジネスバッグをより携帯しやすくする事を目的とするものである。
【課題を解決するための手段】
【０００６】
本発明は上記の目的を達成する為に、バッグ本体（１）背面内壁部にセッティングされた2段〜3段式による引き上げ持ち手部（２）を設け、バッグ本体（１）の上部にスライド式ロック・キー（３）を設けた。
【０００７】
更に、バッグ本体（１）底面部に収納されたキャスター部（４）を設けた。
【０００８】
そして、持ち手部（２）とキャスター部（４）は持ち手フレームＢ（９）と持ち手フレームＡ（８）はそれぞれ連結されており、スライド式ロック・キー（３）を指で摘み解除し、持ち手部（２）を上方向へ引き上げる事でキャスター部（４）がバッグ本体（１）底より突出し、キャスターバッグとしての機能を発揮する事が出来る。
【０００９】
又、通常に持ち歩く場合に於いてはバッグ本体（１）のスライド式ロック・キー（３）を解除する事で持ち手部（２）を下部方向へ下げる事によりキャスター部（４）がバッグ本体（１）内に収納される為、持ち手携帯、又はショルダーとして通常使用できる。
【発明の効果】
【００１０】
上述したように本発明のビジネスバッグ用ワンタッチ収納キャスターはバッグに収納する量、又は重さによって幾つかの便利な携帯方法を提供する事が出来る。
【００１１】
又、手動によってキャスターをセットしたり、収納したりする事がない為、特に女性は手等を汚さず容易に持ち歩く事が出来る。
【発明を実施するための最良の形態】
【００１２】
以下、本発明の実施形態を図３、図４に基づいて説明する。
図においては、バッグ本体（１）の上部に設けたスライド式ロック・キー（３）を指で摘み解除する事によってロック棒（１４）が持ち手フレームＢ（９）に加工されたロック用穴部（１２）よりはずれ、持ち手部（２）を上方向へ引き上げる事で持ち手部（２）と一体に設けられた持ち手フレームＢ部（９）が上方向へ移動する。
【００１３】
そして、引き上げる事によって持ち手フレームＡ部（８）に加工されたロック用穴部（１２）にロック棒（１４）がロックされ、持ち手フレームＡ部（８）が更に引きあがる。
【００１４】
又、バッグ本体（１）背面壁部に設けられた持ち手フレーム部B部（９）と持ち手フレーム部A部（８）を固定する為の持ち手フレームA,B固定壁部（１０）を設け、その一端に持ち手フレームA部（８）を一定の位置でストップさせる為の持ち手フレームB用ストッパー部（１１）を設けた。
【００１５】
そして持ち手フレームA部（８）が上部へ移動する事によって持ち手フレームA部（８）とリベット金具（１６）をもって連結されたL字型フレーム部（６）が作動し、それによってキャスター固定軸取り付け穴部（２０）に取り付けられたキャスターフレーム部（５）が回転移動する事でキャスター部（４）がバッグ本体（１）の底部から突出され、持ち手フレームB用ストッパー部（１１）によって固定される。
【００１６】
又、持ち手によって携帯する場合はバッグ本体（１）の上部のスライド式ロック・キー（３）を指で摘み解除する事によって持ち手フレームB部（９）若しくは持ち手フレームA部（８）等に加工されたロック用穴部（１２）よりロック棒（１４）がはずれ持ち手部（２）を下げる事で持ち手フレームA部（８）が下へ移動しL字型フレーム部（６）も同時に作動する事でキャスター固定軸取り付け穴部（２０）に取り付けられたキャスターフレーム部（５）が逆回転移動しバッグ本体（１）へ収納される。以上のように本実施形態によってビジネスバッグとしての役割と機能的効果を発揮する事ができる。
【図面の簡単な説明】
【００１７】
【図１】本発明の正面図
【図２】本発明の作動図
【図３】本発明の正面部分断面作動前構造図
【図４】本発明の正面部分断面作動後構造図
【図５】本発明の作動前側面図
【図６】本発明の作動後側面図
【図７】本発明の側面部分断面作動前構造図
【図８】本発明の側面部分断面作動後構造図
【図９】本発明のロック・キーのロック時の部分拡大断面図
【図１０】本発明のロック・キーの解除時の部分拡大断面図
【図１１】本発明の持ち手フレーム部とキャスター部の作動前拡大図
【図１２】本発明の持ち手フレーム部とキャスター部の作動後拡大図
【図１３】本発明の平面図
【図１４】本発明のキャスター部平面構造図
【図１５】本発明の底面図
【図１６】本発明の斜視図―a：通常時の状態  b：作動時の状態
【符号の説明】
【００１８】
１  バッグ本体
２  持ち手部
３  スライド式ロック・キー
４  キャスター部
５  キャスターフレーム部
６  L字型フレーム部
７  キャスター軸
８  持ち手フレームＡ部
９  持ち手フレームＢ部
１０  持ち手フレームA、B固定壁部
１１  持ち手フレームB用ストッパー部
１２  ロック用穴部
１３  持ち手フレームA・B用固定リング
１４  ロック棒
１５  スプリング
１６  リベット金具
１７  キャスター収納部開口穴
１８  キャスター収納部スライド式抜き部
１９  キャスター固定軸部
２０  キャスター固定軸取り付け穴部
２１  バック足部
【図１】
2009268722.tif 000003
【図２】
2009268722.tif 000004
【図３】
2009268722.tif 000005
【図４】
2009268722.tif 000006
【図５】
2009268722.tif 000007
【図６】
2009268722.tif 000008
【図７】
2009268722.tif 000009
【図８】
2009268722.tif 000010
【図９】
2009268722.tif 000011
【図１０】
2009268722.tif 000012
【図１１】
2009268722.tif 000013
【図１２】
2009268722.tif 000014
【図１３】
2009268722.tif 000015
【図１４】
2009268722.tif 000016
【図１５】
2009268722.tif 000017
【図１６】
2009268722.tif 000018